(57)【要約】【課題】  医療用器具の劣化を十分に防止しつつ、医療用器具を効率良く洗浄消毒することが可能な医療用器具洗浄消毒装置を提供すること。【解決手段】  本発明の内視鏡用洗浄消毒装置２０は、その上端側に、内視鏡１０を格納するための洗浄消毒槽２１を有し、洗浄消毒槽２１の上面開口には開閉自在な蓋体２２を有している。洗浄消毒槽２１および蓋体２２の表面付近には、アンチモンポルフィリン錯体を含む材料で構成された抗菌部を有している。抗菌部におけるアンチモンポルフィリン錯体の含有量は、０．１〜３０ｗｔ％であるのが好ましい。アンチモンポルフィリン錯体を構成するポルフィリン化合物としては、例えば、エチオポルフィリン、メソポルフィリン、プロトポルフィリン、ジューテロポルフィリン、ヘマトポルフィリン、コプロポルフィリン、ウロポルフィリン等を用いることができる。【選択図】  図２
2005261502.tif 000002
【特許請求の範囲】
【請求項１】
液体が貯留される貯留部または液体が搬送される搬送部の壁面付近に、アンチモンポルフィリン錯体を含む材料で構成された抗菌部を有することを特徴とする医療用器具洗浄消毒装置。
【請求項２】
前記抗菌部中における前記アンチモンポルフィリン錯体の含有率は０．１〜３０ｗｔ％である請求項１に記載の医療用器具洗浄消毒装置。
【請求項３】
前記抗菌部は、樹脂を含む材料で構成されたものである請求項１または２に記載の医療用器具洗浄消毒装置。
【請求項４】
波長が３８０〜７７０ｎｍの可視光を照射する光源を備えている請求項１ないし３のいずれかに記載の医療用器具洗浄消毒装置。
【請求項５】
前記液体は、主として水で構成されたものである請求項１ないし４のいずれかに記載の医療用器具洗浄消毒装置。
【請求項６】
抗菌部は、少なくとも表面付近が金属材料で構成された基部上に設けられたものである請求項１ないし５のいずれかに記載の医療用器具洗浄消毒装置。
【請求項７】
医療用器具洗浄消毒装置は、内視鏡の洗浄消毒に用いるものである請求項１ないし６のいずれかに記載の医療用器具洗浄消毒装置。
【発明の詳細な説明】
【技術分野】
【０００１】
本発明は、医療用器具洗浄消毒装置に関するものである。
【背景技術】
【０００２】
医療の分野では、消化管等の検査、診断、処置等に、内視鏡が使用されている。
このような内視鏡には、使用時等に、粘液等の汚れが付着することがある。このような汚れは、感染症等の原因となりうるため、使用時ごとに、洗浄、消毒が行われてきた。従来、内視鏡の洗浄消毒に用いられてきた洗浄消毒装置は、通常、洗浄液（洗浄水）が貯留されるタンクや、洗浄液（洗浄水）を搬送する流路等を有しているが、洗浄消毒装置内の洗浄液（洗浄水）中に細菌等が混入し、上記のような部位等で増殖する懸念があった。
【０００３】
一方、上記のような問題を解決する目的で、洗浄水を貯留するタンク内に、波長が２１０〜３２９ｎｍの紫外線を放射する紫外線ランプを取り付けた洗浄消毒装置が提案されている（例えば、特許文献１参照）。これは、紫外線の殺菌性を利用し、細菌の増殖を防止することを期待したものであるが、このような洗浄装置を用いても十分な効果が得られない。これは、以下のような理由によるものであると考えられる。すなわち、紫外線は、優れた殺菌性を有するものの、水中の透過率が低い。このため、タンク内の洗浄液を対流させる等しても、洗浄水全体を十分に殺菌するのは困難であった。また、放射する紫外線の強度（光量）を大きくし、洗浄液全体に対して殺菌処理を施すことも考えられるが、十分な効果を発揮するためには、莫大な強度（光量）が必要となり、装置の構成、コストの面等から現実的ではない。また、このような場合、以下のような問題点も発生する。すなわち、内視鏡は、例えば、可撓管外皮等の汚れが付着しやすい部位の構成材料として、各種樹脂材料のような有機材料が用いられている。このような材料は、一般に紫外線に対する安定性が低い。したがって、洗浄消毒装置内（タンク内）の洗浄水全体に十分な光量の紫外線を照射し、十分な殺菌性を発揮させようとした場合、内視鏡の構成材料の劣化を促進してしまう。その結果、内視鏡の耐久性は著しく低いものとなる。
【０００４】
【特許文献１】実開平５−８２４０３号公報
【発明の開示】
【発明が解決しようとする課題】
【０００５】
本発明の目的は、医療用器具の劣化を十分に防止しつつ、医療用器具を効率良く洗浄消毒することが可能な医療用器具洗浄消毒装置を提供することにある。
【課題を解決するための手段】
【０００６】
このような目的は、下記（１）〜（７）の本発明により達成される。
（１）  液体が貯留される貯留部または液体が搬送される搬送部の壁面付近に、アンチモンポルフィリン錯体を含む材料で構成された抗菌部を有することを特徴とする医療用器具洗浄消毒装置。
【０００７】
これにより、医療用器具の劣化を十分に防止しつつ、医療用器具を効率良く洗浄消毒することが可能な医療用器具洗浄消毒装置を提供することができる。
【０００８】
（２）  前記抗菌部中における前記アンチモンポルフィリン錯体の含有率は０．１〜３０ｗｔ％である上記（１）に記載の医療用器具洗浄消毒装置。
【０００９】
これにより、より優れた抗菌性を発揮しつつ、医療用器具洗浄消毒装置に求められる他の特性を十分に優れたものとすることができる。
【００１０】
（３）  前記抗菌部は、樹脂を含む材料で構成されたものである上記（１）または（２）に記載の医療用器具洗浄消毒装置。
【００１１】
アンチモンポルフィリン錯体は、酸化チタン等の他の光触媒に比べて、樹脂等の有機材料（有機化合物）との親和性に優れている。このため、光触媒としてのアンチモンポルフィリン錯体が、医療用器具洗浄消毒装置から脱落するのを効果的に防止することができ、より長期間にわたって優れた抗菌性を発揮することができる。また、酸化チタン等の他の光触媒が、その触媒機能を十分に発揮し得る条件下においては、樹脂等の有機材料（有機化合物）が、変性、劣化等の悪影響を受け易くなるのに対し、アンチモンポルフィリン錯体は、このような問題の発生を効果的に防止することができ、本発明の効果をより顕著に発揮することができる。
【００１２】
（４）  波長が３８０〜７７０ｎｍの可視光を照射する光源を備えている上記（１）ないし（３）のいずれかに記載の医療用器具洗浄消毒装置。
これにより、より優れた抗菌性を発揮することができる。
【００１３】
（５）  前記液体は、主として水で構成されたものである上記（１）ないし（４）のいずれかに記載の医療用器具洗浄消毒装置。
【００１４】
水は、紫外線の透過率が低いため、従来提案されていたような紫外線を照射する洗浄消毒装置では、水を主とする液体および該液体を用いる場合に、十分な効果が得られないことがあったが、本発明によれば、水中の透過率に優れる可視光領域の光を利用するため、前記液体が、主として水で構成されたものであると、本発明の効果はより顕著に発揮される。
【００１５】
（６）  抗菌部は、少なくとも表面付近が金属材料で構成された基部上に設けられたものである上記（１）ないし（５）のいずれかに記載の医療用器具洗浄消毒装置。
【００１６】
これにより、入射した光の利用効率を特に優れたものとすることができ、抗菌部の機能をより効果的に発揮させることができる。
【００１７】
（７）  医療用器具洗浄消毒装置は、内視鏡の洗浄消毒に用いるものである上記（１）ないし（６）のいずれかに記載の医療用器具洗浄消毒装置。
【００１８】
内視鏡は、体腔内に挿入して用いられるものであるため、各種医療用器具の中でも、特に高度な洗浄消毒が求められるものである。したがって、本発明を、内視鏡の洗浄消毒に用いられる内視鏡用洗浄消毒装置に適用することにより、その効果がより顕著に現れる。
【発明の効果】
【００１９】
本発明によれば、医療用器具の劣化を十分に防止しつつ、医療用器具を効率良く洗浄消毒することが可能な医療用器具洗浄消毒装置を提供することができる。
【発明を実施するための最良の形態】
【００２０】
以下、本発明の医療用器具洗浄消毒装置を添付図面に示す好適実施形態に基づいて詳細に説明する。以下の説明では、医療用器具洗浄消毒装置の一例として、医療用器具としての内視鏡を洗浄消毒する内視鏡用洗浄消毒装置について説明する。内視鏡は、体腔内に挿入して用いられるものであるため、各種医療用器具の中でも、特に高度な洗浄消毒が求められるものであり、したがって、本発明を適用することにより、その効果が顕著に現れるものである。
【００２１】
図１は、本発明の内視鏡用洗浄消毒装置（医療用器具洗浄消毒装置）で洗浄対象物（消毒対象物）として用いられる内視鏡の一例としての電子内視鏡（電子スコープ）を示す全体図、図２は、本発明の内視鏡用洗浄消毒装置の実施形態を示す外観斜視図、図３は、図２に示す内視鏡用洗浄消毒装置が備える洗浄消毒槽の縦断面を示す拡大図、図４は、図２に示す内視鏡用洗浄消毒装置の部分縦断面図である。以下の説明では、図１中の上方を「基端」、下方を「先端」と言う。
【００２２】
まず、本発明の内視鏡用洗浄消毒装置で洗浄消毒される内視鏡の構成の一例について説明する。
【００２３】
図１に示す内視鏡（医療用器具）１０は、電子内視鏡（電子スコープ）であり、可撓性（柔軟性）を有する長尺の可撓管１１および当該可撓管１１の先端部に設けられた湾曲部１２を備える挿入部可撓管１と、挿入部可撓管１の基端部に設けられ、術者が把持して内視鏡１０全体を操作する操作部６と、操作部６に接続された接続部可撓管７と、接続部可撓管７の先端側に設けられた光源差込部８とを有している。内視鏡１０の内部には、光ファイバー束によるライトガイド、画像信号ケーブル、ケーブル、チューブ類等の内蔵物（図示せず）が配置、挿通されている。
【００２４】
挿入部可撓管１と接続部可撓管７とは、それぞれ、中空部を有する（管状の）芯材の外周を外皮で被覆した内視鏡用可撓管で構成されている。内視鏡用可撓管を構成する外皮は、繰り返し施される洗浄・消毒・滅菌処理等の際に、各種消毒薬等の薬品に曝されることから耐薬品性を有し、かつ、摩擦により体腔内の組織に損傷を与えることを防止するため、柔軟性（可撓性）を有する材料を主材料として構成されているのが好ましい。このような材料としては、例えば、ポリ塩化ビニル、ポリエチレン、ポリプロピレン、エチレン−酢酸ビニル共重合体等のポリオレフィン、ポリアミド、ポリエチレンテレフタレート（ＰＥＴ）、ポリブチレンテレフタレート等のポリエステル、ポリウレタン、ポリスチレン樹脂、ポリテトラフルオロエチレン、エチレン−テトラフルオロエチレン共重合体等のフッ素系樹脂、ポリイミドのような各種可撓性を有する樹脂や、ポリウレタン系、ポリエステル系、ポリオレフィン系、ポリアミド系、ポリスチレン系、フッ素系等の熱可塑性エラストマー、シリコーンゴム、フッ素ゴム、ラテックスゴムのような各種エラストマー等が挙げられ、これらのうちの１種または２種以上を組み合わせて用いることができる。
【００２５】
また、操作部６には、その側面に操作ノブ６１、６２が設置されている。この操作ノブ６１、６２を操作すると、挿入部可撓管１内に配設されたワイヤ（図示せず）が牽引されて、湾曲部１２が４方向に湾曲し、その方向を変えることができる。
【００２６】
湾曲部１２の先端部内側には、観察部位における被写体像を撮像する図示しない撮像素子（ＣＣＤ）が設けられ、また、光源差込部８の先端部に、画像信号用コネクタ８２が設けられている。この画像信号用コネクタ８２は、外筒内に多数の接続ピンが突設された構造になっており、ケーブルを介してモニタ装置（図示せず）に接続された光源プロセッサ装置（図示せず）に接続される。また、光源差込部８の先端部には、光源用コネクタ８１が設置され、この光源用コネクタ８１が光源プロセッサ装置に接続される。
【００２７】
光源プロセッサ装置から発せられた光は、光源用コネクタ８１、および、光源差込部８内、接続部可撓管７内、操作部６内および挿入部可撓管１内に連続して配設されたライトガイド（図示せず）を通り、湾曲部１２（挿入部可撓管１）の先端部より観察部位に照射され、照明する。このようなライトガイドは、例えば、石英、多成分ガラス、プラスチック等により構成される光ファイバーが複数本束ねられて構成されている。
【００２８】
前記照明光により照明された観察部位からの反射光（被写体像）は、撮像素子で撮像される。撮像素子では、撮像された被写体像に応じた画像信号が出力される。この画像信号は、挿入部可撓管１内、操作部６内および接続部可撓管７内に連続して配設され、撮像素子と画像信号用コネクタ８２とを接続する画像信号ケーブル（図示せず）を介して、光源差込部８に伝達される。
【００２９】
そして、光源差込部８内および光源プロセッサ装置内で所定の処理（例えば、信号処理、画像処理等）がなされ、その後、モニタ装置に入力される。モニタ装置では、撮像素子で撮像された画像（電子画像）、すなわち動画の内視鏡モニタ画像が表示される。
【００３０】
挿入部可撓管１の内部には、処置具を挿通する処置具挿通チャンネル９が形成されている。この処置具挿通チャンネル９は、操作部６に形成された突出部６３に基端開口部９１を有しており、湾曲部１３の先端に先端開口部９２を有している。
【００３１】
処置具挿通チャンネル９の基端開口部（口金）９１には、内視鏡用鉗子栓５が着脱自在に取り付けられている。内視鏡用鉗子栓５は、基端開口部９１に着脱可能に設置される本体と、該本体に対し着脱可能に設置される蓋体とを備えている。
【００３２】
このような内視鏡１０では、例えば、挿入部可撓管１を体腔内に挿入した状態で、各種の処置具（図示せず）を基端開口部９１から処置具挿通チャンネル９内に挿入し、先端開口部９２から突出（露出）させて使用することができる。使用可能な処置具としては、特に限定されないが、例えば、生検鉗子、把持鉗子等の鉗子類、体温センサー等の各種センサー類、心電測定用等の電極、ナイフ、レーザーメス等の切開具類、造影チューブ、洗浄チューブ、ドレナージチューブ等の各種チューブ類（カテーテル類）、破砕プローブ（破石具）、ヒートプローブ、注射針、結紮具、ワイヤ類等の各種の処置具（検査具）等が挙げられる。
【００３３】
次に、本発明の内視鏡用洗浄消毒装置について詳細に説明する。
本発明の内視鏡用洗浄消毒装置は、例えば、上記のような内視鏡の洗浄消毒に用いられるものである。なお、本明細書中においては、特に断りがない限り、「洗浄」とは、水洗、酵素洗浄、アルカリ洗浄（アルカリ洗）等のことを指す。本発明の内視鏡用洗浄消毒装置は、洗浄（例えば、酵素洗浄、アルカリ洗浄（アルカリ洗）等）に用いられるものに限定されず、消毒、滅菌等に用いられるものであってもよい。また、本発明の内視鏡用洗浄消毒装置は、内視鏡本体を洗浄消毒するものに限定されず、内視鏡そのものを構成する部品や、内視鏡とともに使用することができる器具、装置類等の内視鏡関連品（例えば、洗浄用アダプタ、送水ボトルのチューブ、漏水テスターのチューブ等）の洗浄消毒に適用されるものであってもよい。
【００３４】
図２に示すように、本実施形態の内視鏡用洗浄消毒装置（医療用器具洗浄消毒装置）２０は、その上端側に、内視鏡１０を格納するための洗浄消毒槽（貯留部）２１を有し、洗浄消毒槽２１の上面開口には開閉自在な蓋体２２を有している。
【００３５】
洗浄消毒槽２１の内部には、操作部保持部２１３、コネクタ保持部（光源差込部保持部）２１４等が配置されている。これにより、洗浄消毒槽２１内において、内視鏡１０の操作部６、光源差込部８を適切な状態に保持することができる。操作部保持部２１３およびコネクタ保持部２１４には、内視鏡１０内に配管されている流体管路内に対する掃除用ブラシの挿脱と洗浄液および乾燥用エアーの注入を行う機能が組み込まれていてもよい。なお、このような構成としては、例えば特開平８−２７５９１８号公報に記載されているもの等を適用することができる。
【００３６】
蓋体２２は、いかなる材料で構成されたものであってもよいが、可視光透過性の材料（可視光を透過する材料）で構成されたものであるのが好ましい。これにより、洗浄消毒槽２１に光を照射する光源を内視鏡用洗浄消毒装置２０に備えなくても、後に詳述する抗菌部の機能をより効果的に発揮させることができる。その結果、内視鏡用洗浄消毒装置２０の小型化に寄与することができる。なお、ここでの「可視光透過性」とは、３８０〜７７０ｎｍの波長の光を６０％以上透過する性質のことを指すが、可視光透過性の材料としては、３８０〜７７０ｎｍの波長の光を７０％以上透過する材料を用いるのが好ましく、３８０〜７７０ｎｍの波長の光を８０％以上透過する材料を用いるのがより好ましい。これにより、前述したような効果をさらに顕著に発揮させることができる。このような材料としては、例えば、熱可塑性樹脂、熱硬化性樹脂等の各種樹脂材料等が挙げられ、より具体的には、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン樹脂、ポリウレタン等、またはこれらを主とする共重合体、ブレンド体、ポリマーアロイ等が挙げられ、これらのうちの１種または２種以上を組み合わせて用いることができる。また、蓋体２２の内表面付近には、後に詳述するような抗菌部が形成されているのが好ましい。
【００３７】
また、内視鏡用洗浄消毒装置２０は、洗浄水を貯留する洗浄水用貯留タンク（洗浄水貯留部）、洗浄液を貯留する洗浄液用貯留タンク（洗浄液貯留部）、消毒液を貯留する消毒液用貯留タンク（消毒液貯留部）を備えており、これらの貯留タンク（貯留部）は、それぞれに対応する管路（搬送部）に接続されている。そして、これらの管路は、それぞれ、端部（貯留タンクに接続するのとは反対側の端部）に放出口（洗浄水放出口、洗浄液放出口、消毒液放出口）を有しており、該放出口から、それぞれ、洗浄水、洗浄液、消毒液を、洗浄消毒槽２１に供給（放出）する構成になっている。なお、図２においては、洗浄水用貯留タンク、洗浄液用貯留タンク、消毒液用貯留タンクおよびこれらに接続された管路、ならびに洗浄水放出口、洗浄液放出口、消毒液放出口は、図示していない。
【００３８】
洗浄水としては、例えば、イオン交換水、蒸留水、精製水等の純水、飲料水レベルの水、０．２μｍ程度のフィルターを通した水等を用いることができる。また、洗浄液としては、例えば、中性洗浄剤、酵素系洗浄剤、アルカリ系洗浄剤等を用いることができる。また、消毒液としては、例えば、グルタルアルデヒド、オルトフタルアルデヒド、過酢酸等を用いることができる。
【００３９】
また、内視鏡用洗浄消毒装置２０の使用時において、洗浄水、洗浄液、消毒液は、いかなる順序で、洗浄消毒槽２１に供給されるものであってもよい。また、洗浄水、洗浄液、消毒液のうち少なくとも１つについて、洗浄消毒槽２１内に複数回供給する構成であってもよい。例えば、洗浄消毒槽２１内に、洗浄液と消毒液とを交互に繰り返し供給し、その後、洗浄水を供給することにより、洗浄消毒槽２１の内壁に付着した洗浄液、消毒液を洗い流すとともに、内視鏡１０を洗浄消毒するような構成にしてもよい。
【００４０】
また、内視鏡用洗浄消毒装置２０の前面パネルには、操作ボタン２３、例えば液晶等を用いた表示用のディスプレイ２４等が配置されている。
【００４１】
また、内視鏡用洗浄消毒装置２０の側面からは、可撓管２６が延出しており、その先端には、防水キャップ２５が取り付けられている。この防水キャップ２５は、内視鏡用洗浄消毒装置２０の使用時に、画像信号用コネクタ８２に被せることにより、内視鏡１０の画像信号用コネクタ８２内に洗浄水等が浸入するのを防止する機能を有する。
【００４２】
図３に示すように、洗浄消毒槽２１は、基部２１１と、基部２１１の表面に設けられた抗菌部２１２とで構成されている。
【００４３】
基部２１１は、洗浄消毒槽２１の形状を十分に保持することが可能な材料で構成されているのが好ましい。また、基部２１１は、少なくともその表面付近が、可視光を反射する材料で構成されたものであるのが好ましい。これにより、後に詳述する抗菌部２１２における光（可視光）の利用効率を高めることができ、抗菌部２１２の機能をより効果的に発揮させることができる。すなわち、抗菌部２１２に入射した光の内、アンチモンポルフィリン錯体の触媒機能の発揮に利用されなかった光を基部２１１で反射することにより、抗菌部２１２の機能をより効果的に発揮させることができる。このような材料としては、例えば、Ａｌ、Ａｇ、Ｆｅや、これらから選択される少なくとも１種を含む合金（例えば、ステンレス鋼等）の金属材料等が挙げられる。
【００４４】
抗菌部２１１は、少なくともその表面付近に、アンチモンポルフィリン錯体を含む材料で構成されている。アンチモンポルフィリン錯体は、光触媒としての機能を有しており、光、特に可視光成分を含む光が照射された（入射した）環境下において、例えば、抗菌性を発揮し、洗浄消毒槽２１に付着した汚れや、洗浄消毒槽２１に貯留される液体（例えば、洗浄水、洗浄液、消毒液）に含まれる汚れ等を分解する機能等を有している。
【００４５】
抗菌部を構成するアンチモンポルフィリン錯体は、可視光領域の光により、優れた触媒機能を発揮することができ、特に、内視鏡および内視鏡関連品（以下、単に内視鏡ともいう）で問題となる、大腸菌、黄色ブドウ球菌、レジオネラ菌、ヘリコバクターピロリ菌、緑膿菌等の細菌に対する抗菌性に優れ、また、粘液等の汚れを効果的に分解することができること、そして、内視鏡用洗浄消毒装置が、液体が貯留される貯留部または液体が搬送される搬送部の壁面付近にアンチモンポルフィリン錯体を含む材料で構成された抗菌部を有するものであると、洗浄水等の内視鏡の洗浄消毒に用いられる液体中における細菌の繁殖、汚れの残存等を効果的に防止することができ、内視鏡の洗浄消毒をより効果的に行うことができることを本発明者は見出した。
【００４６】
特に、アンチモンポルフィリン錯体は、可視光領域の光により、優れた触媒機能を発揮することができるので、紫外線照射装置等の特別な装置を用いる必要がない。特に、本実施形態のように、蓋体が可視光透過性の材料で構成されたものである場合、内視鏡用洗浄消毒装置が設置、使用される環境下での明かり（例えば、太陽光や、室内照明等に広く用いられている蛍光灯等による光）により、優れた触媒機能を発揮することができる。また、可視光領域の光は、紫外線に比べ、水中の透過率も高い。したがって、洗浄消毒槽（貯留部）内に比較的多量の液体（例えば、洗浄水、洗浄液、消毒液）が貯留されている場合であっても、本発明の内視鏡用洗浄消毒装置は、優れた抗菌性（殺菌性、防汚性）を発揮することができる。
【００４７】
また、前述したように、アンチモンポルフィリン錯体は、可視光領域の光により、優れた触媒機能を発揮することができるので、例えば、内視鏡用洗浄消毒装置２０の使用後、当該内視鏡用洗浄消毒装置２０を、可視光領域の光が照射される環境下に置くことにより、内視鏡用洗浄消毒装置２０の使用時以外における、細菌の繁殖、汚れの付着等も効果的に防止することができる。したがって、本発明によれば、内視鏡用洗浄消毒装置が設置される環境の無菌性（清浄性）が比較的低い場合であっても、内視鏡用洗浄消毒装置としての機能を十分に発揮することができる。
【００４８】
なお、本明細書中において、「アンチモンポルフィリン錯体」とは、ポルフィリン化合物を配位子としたアンチモン（Ｓｂ）錯体のことを指す。ポルフィリン化合物は、下記式（Ｉ）で表されるポルフィン核を有するものであり、例えば、式（Ｉ）中の１〜８位およびα〜δ位の少なくとも１箇所にメチル基、エチル基、プロピオン基等の脂肪族置換基、フェニル基、２，４，６−トリメチルフェニル基、２，４，６−トリエチルフェニル基、ベンジル基等の芳香族置換基等の炭化水素基や、アシル基、アルコキシル基、カルボキシル基、フルオロ基、クロロ基、ブロモ基、ヨード基、ヒドロキシ基、シアノ基、アミノ基、ホルミル基、ニトロ基等の置換基が導入された各種誘導体を含むものである。このようなポルフィリン化合物の中でも、特に、エチオポルフィリン、メソポルフィリン、プロトポルフィリン、ジューテロポルフィリン、ヘマトポルフィリン、コプロポルフィリン、ウロポルフィリンや、上記式（Ｉ）で示されるポルフィン核の１位、３位、５位および７位にフェニル基が導入された化合物であるのが好ましい。アンチモンポルフィリン錯体がこれらの化合物を有するものであると、可視光の中でも特に、アンチモンポルフィリン錯体の触媒機能の発現に大きく寄与する、５００〜７００ｎｍの波長領域の利用効率が特に優れたものとなる。その結果、本発明の効果は、さらに顕著なものとなる。
【化１】
2005261502.tif 000003
【００４９】
ポルフィリン化合物は、（アンチモン錯体としてではないが、）ヘモグロビン、シトクロム、カタラーゼ（以上、鉄錯体）等として生体内に含まれる物質であり、生体に対する安全性が高く、例えば、急性毒性、慢性毒性、局所刺激性や抗原性が極めて低い。したがって、本発明は、生体に適用される（医療用の）内視鏡の洗浄消毒を行う内視鏡用洗浄消毒装置に好適に適用することができる。
【００５０】
また、アンチモンポルフィリン錯体中におけるアンチモン（Ｓｂ）は、原子の状態（中性状態）であってもよいし、イオンの状態であってもよい。
【００５１】
また、ポルフィリン化合物は、各種有機化合物の中でも特に優れた安定性（化学的安定性、熱的安定性等）を有しており、また、アンチモンにポルフィリン化合物が配位したアンチモンポルフィリン錯体も同様に、優れた安定性（化学的安定性、熱的安定性等）を有している。このため、本発明は、比較的過酷な条件下で使用される滅菌装置等にも好適に適用することができる。
【００５２】
抗菌部２１２は、少なくともアンチモンポルフィリン錯体を含む材料で構成されたものであればよいが、樹脂を含む材料で構成されたものであるのが好ましい。これにより、抗菌部２１２の基部２１１に対する密着性を特に優れたものとすることができる。抗菌部２１２を構成する樹脂材料としては、例えば、各種熱可塑性樹脂、各種熱硬化性樹脂等が挙げられ、より具体的には、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン樹脂、ポリウレタン等、またはこれらを主とする共重合体、ブレンド体、ポリマーアロイ等が挙げられ、これらのうちの１種または２種以上を組み合わせて用いることができる。また、抗菌部２１２中には、これら以外の成分、例えば、アンチモンポルフィリン錯体以外の抗菌性物質を含むものであってもよい。
【００５３】
また、上述したポルフィリン化合物は、有機化合物であるため、例えば、抗菌部２１２を構成する樹脂材料等との親和性、相溶性に優れている。このため、光触媒としてのアンチモンポルフィリン錯体が、抗菌部２１２から脱落するのを効果的に防止することができ、より長期間にわたって優れた抗菌性を発揮することができる。すなわち、内視鏡用洗浄消毒装置の耐久性を特に優れたものとすることができる。また、酸化チタン等の他の光触媒が、その触媒機能を十分に発揮し得る条件下においては、樹脂等の有機材料（有機化合物）が、変性、劣化等の悪影響を受け易くなるのに対し、アンチモンポルフィリン錯体は、このような問題の発生を効果的に防止することができ、本発明の効果をより顕著に発揮することができる。
【００５４】
抗菌部におけるアンチモンポルフィリン錯体の含有率は、特に限定されないが、０．１〜３０ｗｔ％程度であるのが好ましく、１〜１５ｗｔ％程度であるのがより好ましく、１〜５ｗｔ％程度であるのがさらに好ましい。アンチモンポルフィリン錯体の含有率が少なすぎると、ポルフィリン化合物の組成、抗菌部２１２を構成する樹脂材料の種類等によっては、比較的高強度の光（可視光）を照射しなければ、十分な抗菌性が発揮されない可能性がある。また、アンチモンポルフィリン錯体の含有率が多すぎると、基部２１１と抗菌部２１２との密着性が低下する可能性がある。また、アンチモンポルフィリン錯体の含有率が前記範囲を超えて多くしても、それ以上の効果の増大が期待できない。
【００５５】
なお、アンチモンポルフィリン錯体の含有率は、抗菌部２１２全体で実質的に均一であってもよいし、抗菌部２１２の各部で異なるものであってもよい。例えば、抗菌部２１２におけるアンチモンポルフィリン錯体の含有率は、抗菌部２１２の厚さ方向に連続的または段階的に変化するものであってもよい。このような場合、抗菌部２１２の外表面付近の領域におけるアンチモンポルフィリン錯体の含有率が、前記範囲内の値であるのが好ましい。
【００５６】
上記のような抗菌部は、洗浄消毒槽２１の液体が接触し得る部位のほぼ全体に設けられているのが好ましい。また、抗菌部は、操作部保持部２１３、コネクタ保持部２１４等の表面付近にも設けられているのが好ましい。
【００５７】
また、図４に示すように、本実施形態の内視鏡用洗浄消毒装置２０は、その内部に、洗浄水を貯留する洗浄水貯留タンク（貯留部）２８を有しており、また、洗浄水貯留タンク２８内に光（可視光）を照射する機能を有する光源２９を有している。
【００５８】
そして、洗浄水貯留タンク２８も、上述した洗浄消毒槽２１と同様に、抗菌部を有している。このため、光源から可視光成分を含む光が照射されることにより、洗浄水貯留タンク２８内における細菌の増殖や、洗浄水貯留タンク２８内への洗浄水の供給（補充）の際に混入する可能性のある汚れ等による、洗浄水貯留タンク２８、洗浄水の汚染を、効果的に防止することができる。言い換えると、洗浄水貯留タンク２８内に供給される洗浄水中に、細菌、汚れが含まれる場合であっても、抗菌部により、汚れの分解、細菌の増殖防止（殺菌）等の効果が得られる。特に、比較的長期間にわたって、洗浄水が洗浄水貯留タンク２８内に貯留される場合であっても、洗浄水貯留タンク２８、洗浄水の汚染を効果的に防止することができる。
【００５９】
また、洗浄水は、内視鏡の洗浄消毒に用いる液体の中でも、特に細菌等による汚染が起こり易い。したがって、洗浄水貯留タンク２８に抗菌部が設けられることにより、本発明による効果はさらに顕著なものとなる。
【００６０】
光源２９としては、可視光成分を含む光を照射することが可能なものであればいかなるものを用いてもよいが、そのスペクトル分布において、３８０〜７７０ｎｍの波長領域に極大値（特に、最大値）を有するものであるのが好ましく、５００〜７００ｎｍの波長領域に極大値（特に、最大値）を有するものであるのがより好ましい。これにより、比較的小さい電力で、抗菌部の機能をより効果的に発揮させることができる。
【００６１】
また、上述したような抗菌部は、洗浄液貯留タンク２８に接続される管路（搬送部）の内表面付近に設けられているのが好ましい。これにより、前述したような効果はさらに顕著なものとなる。また、このような場合、管路内に前記と同様な光源を配置したり、前述したような材料で構成された基部上に抗菌部を設けることにより、管路内に設けられた抗菌部の機能をより効果的に発揮させることができる。
【００６２】
また、洗浄液貯留タンク２８に、内視鏡用洗浄消毒装置２０の外部から採光できるような構成であってもよい。これにより、光源２９を小型化（低出力のものに変更）したり、省略した場合であっても、上述したような抗菌部の機能をより効果的に発揮させることができる。
【００６３】
また、上記のような抗菌部は、洗浄液貯留タンク、消毒液貯留タンクや、これらに接続される管路に設けられてもよい。このような場合であっても、前記と同様な効果が得られる。特に、上記のような洗浄消毒槽２１、洗浄液貯留タンク２８およびこれに接続される管路とともに、洗浄液貯留タンク、消毒液貯留タンクや、これらに接続される管路に抗菌部が設けられることにより、本発明による効果はさらに顕著なものとなる。
【００６４】
以上、本発明の好適な実施形態について説明したが、本発明はこれに限定されるものではなく、各部材（各部）の構成は、同様の機能を有する任意のものに置換すること、もしくは、任意の構成を付加することもできる。
【００６５】
また、前述した実施形態では、抗菌部が樹脂を含む材料で構成されたものとして説明したが、抗菌部は、樹脂を含まない材料で構成されたものであってもよい。
【００６６】
また、前述した実施形態では、内視鏡として電子内視鏡（電子スコープ）を用いるものとして説明したが、本発明は、光学内視鏡（ファイバースコープタイプの内視鏡）の洗浄消毒に用いる洗浄消毒装置に適用することができることは言うまでもない。
【００６７】
また、前述した実施形態では、医療用器具洗浄消毒装置の一例として内視鏡用洗浄消毒装置について説明したが、本発明の医療用器具洗浄消毒装置は、内視鏡以外の医療用器具（医療用装置や、それらの構成部品を含む）の洗浄消毒に用いるものであってもよい。
【００６８】
また、前述した実施形態では、洗浄消毒槽２１に可視光を照射する光源を備えない構成について説明したが、本発明の内視鏡用洗浄消毒装置は、洗浄消毒槽に光（可視光）を照射する光源を備えるものであってもよい。これにより、抗菌部２１２の機能をより効果的に発揮させることができる。また、このような場合、当該光源としては、前述した光源２９と同様のものを用いるのが好ましい。
【００６９】
また、前述した実施形態では、洗浄消毒槽が基部と抗菌部とで構成されるものとして説明したが、洗浄消毒槽全体が実質的に同一の材料で構成されたものであってもよい。また、基部と抗菌部との間に、少なくとも１層の下地層が形成されていてもよい。これにより、例えば、基部と抗菌部との密着性の向上等を図ることができる。また、このような場合、下地層は、可視光の透過性および／または反射性に優れた材料で構成されたものであるのが好ましい。これにより、光の利用効率を優れたものにすることができる。このような材料としては、各種樹脂材料、各種金属材料（合金を含む）等が挙げられる。
【００７０】
また、前述した実施形態では、内視鏡用洗浄消毒装置として、洗浄および消毒を行うものとして説明したが、洗浄、消毒のいずれか一方のみを行うものであってもよい。また、本発明の内視鏡用洗浄消毒装置は、滅菌処理を行うものであってもよい。
【００７１】
また、本発明において、抗菌部は、前述したような箇所以外に設けられていてもよい。例えば、操作ボタンの表面付近等に前述したような抗菌部が形成されていてもよい。
【実施例】
【００７２】
次に、本発明の具体的実施例について説明する。
（実施例１）
まず、前述した実施形態の内視鏡用洗浄消毒装置の洗浄消毒槽（操作部保持部、コネクタ保持部を含む）、洗浄水貯留タンク、洗浄液貯留タンク、消毒液貯留タンク、およびこれらを接続する管路に対応する形状を有するステンレス鋼製の部材（基部となるべき部材）を用意した。これらの部材の表面（液体と接触し得る側の表面）に、アンチモンポルフィリン錯体を含有するポリプロピレンを被覆することにより、厚さ０．５ｍｍの抗菌部を形成した。
【００７３】
なお、アンチモンポルフィリン錯体を構成するポルフィリン化合物としては、エチオポルフィリン、すなわち、下記式（Ｉ）で示されるポルフィン核の１位、３位、５位および７位にメチル基を有し、２位、４位、５位および８位にエチル基を有する化合物を用いた。
【化２】
2005261502.tif 000004
【００７４】
また、抗菌部におけるアンチモンポルフィリン錯体の含有率は、いずれも１ｗｔ％とした。
【００７５】
次に、これらを用いて、図２〜図４に示すような内視鏡用洗浄消毒装置を作製した。なお、蓋体としては、ポリプロピレンで構成され、その内表面に上記と同様な抗菌部が形成されたもの（３８０〜７７０ｎｍの波長領域の光の透過率が９５％以上）を用いた。また、洗浄液貯留タンク内の光源としては、そのスペクトル分布において、５００〜７００ｎｍの波長領域に最大値を有する白色蛍光灯（実質的に紫外線の波長領域の光を含まない）を用いた。また、洗浄液貯留タンクおよび消毒液貯留タンク内にも、同様の白色蛍光灯を配した。また、洗浄液貯留タンク、洗浄液貯留タンクおよび消毒液貯留タンク内に配された光源により、これらの各タンクに接続された管路内にも光（可視光）が導かれるようにした。
【００７６】
（実施例２〜５）
抗菌部中におけるアンチモンポルフィリン錯体の含有率を、表１に示すように変更した以外は、前記実施例１と同様にして内視鏡用洗浄消毒装置を製造した。
【００７７】
（実施例６〜１０）
アンチモンポルフィリン錯体を構成するポルフィリン化合物として、コプロポルフィリン、すなわち、上記式（Ｉ）で示されるポルフィン核の１位、３位、５位および７位にメチル基を有し、２位、４位、５位および８位に２’−カルボキシルエチル基（−ＣＨ２ＣＨ２ＣＯＯＨ基）を有する化合物を用いた以外は、前記実施例１〜５と同様にして内視鏡用洗浄消毒装置を製造した。
【００７８】
（実施例１１〜１５）
アンチモンポルフィリン錯体を構成するポルフィリン化合物として、上記式（Ｉ）で示されるポルフィン核の１位、３位、５位および７位にフェニル基を有し、２位、４位、５位および８位に水素を有する化合物を用いた以外は、前記実施例１〜５と同様にして内視鏡用洗浄消毒装置を製造した。
【００７９】
（比較例１）
前記のステンレス鋼製の各部材および蓋体の表面に、抗菌部を形成しなかった以外は、前記実施例１と同様にして内視鏡用洗浄消毒装置を製造した。
【００８０】
（比較例２）
前記のステンレス鋼製の各部材および蓋体の表面に、抗菌部の代わりに、アンチモンポルフィリン錯体を含有しないポリプロピレンで構成された被膜を形成し、洗浄液貯留タンク、洗浄液貯留タンクおよび消毒液貯留タンク内の光源として、紫外線ランプ（東芝ライテック社製、殺菌ランプ）を用いた以外は、前記実施例１と同様にして内視鏡用洗浄消毒装置を製造した。
【００８１】
［評価］
《接種菌液の調製》
試験菌として、大腸菌および黄色ブドウ球菌を用いた。
まず、これらの試験菌を、それぞれ、普通寒天培地（ＳＡ培地）で培養した。
【００８２】
次に、普通ブイヨン培地（ＮＢ培地）を滅菌精製水で５００倍に希釈し、ｐＨを約７に調整した「１／５００ＮＢ培地」に、各試験菌を分散させた。
これにより、接種菌液を得た。
【００８３】
《評価》
一方、図１に示すような電子内視鏡を複数用意し、これらの挿入部可撓管の外表面に、大腸菌を含む接種菌液０．５ｍＬと、黄色ブドウ球菌を含む接種菌液０．５ｍＬとを、それぞれ、３箇所ずつ接種し、各接種菌液の上に４５ｍｍ×４５ｍｍのポリエチレンフィルムを被せた。
【００８４】
次に、この状態で、各電子内視鏡を、温度３５℃、湿度９５％ＲＨの環境下に２４時間放置した。その後、これらの電子内視鏡を、前記各実施例および各比較例の内視鏡用洗浄消毒装置の洗浄消毒槽内に収納し、各内視鏡用洗浄消毒装置を稼動させた（４０分間）。なお、洗浄水としては０．２μｍのフィルターを通した水（洗浄消毒槽への放出時の温度が約２０℃）を用い、洗浄液としては酵素系「ENDOZIME  AW」Ruhof社製を用い、消毒液としてはグルタルアルデヒド「CIDEX  plus28」ワールドプレシジョン インスツルメンツ ジャパン社製を用いた。また、各内視鏡用洗浄消毒装置の稼動は、白色蛍光灯による照明がなされた室内で行った。また、各内視鏡用洗浄消毒装置による洗浄消毒は、各タンクに対応する液体を貯留した状態で、内視鏡用洗浄消毒装置内の光源を１時間照射し続けた後に行った。
【００８５】
上記のような洗浄消毒処理が施された各電子内視鏡について、菌液を接種した箇所における生菌数を測定し、以下の４段階の基準に従い、内視鏡用洗浄消毒装置の抗菌性について評価した。
【００８６】
なお、大腸菌および黄色ブドウ球菌の生菌数については、それぞれ、接種菌液を接種した３箇所の平均値とした。
【００８７】
Ａ：大腸菌および黄色ブドウ球菌の生菌数が、いずれも、比較例１の内視鏡用洗浄消毒装置で洗浄消毒を行った電子内視鏡の０．１％未満。
【００８８】
Ｂ：大腸菌および黄色ブドウ球菌の生菌数のいずれか一方が、比較例１の内視鏡用洗浄消毒装置で洗浄消毒を行った電子内視鏡の０．１％未満、他方が０．１％以上１％未満。
【００８９】
Ｃ：大腸菌および黄色ブドウ球菌の生菌数が、いずれも、比較例１の内視鏡用洗浄消毒装置で洗浄消毒を行った電子内視鏡の初期の０．１％以上１％未満。
【００９０】
Ｄ：大腸菌および黄色ブドウ球菌の生菌数のいずれか一方が、比較例１の内視鏡用洗浄消毒装置で洗浄消毒を行った電子内視鏡の０．１％以上１％未満、他方が１％以上。
【００９１】
Ｅ：大腸菌および黄色ブドウ球菌の生菌数が、いずれも、比較例１の内視鏡用洗浄消毒装置で洗浄消毒を行った電子内視鏡の１％以上。
【００９２】
これらの結果を、抗菌部の構成とともに表１に示す。なお、上記式（Ｉ）で示されるポルフィン核の１位、３位、５位および７位にフェニル基を有し、２位、４位、５位および８位に水素を有する化合物は、ＴＰＰで示した。
【００９３】
【表１】
2005261502.tif 000005
【００９４】
表１に示すように、実施例１〜１５の内視鏡用洗浄消毒装置で処理した電子内視鏡では、いずれも、生菌数の減少が顕著であった。このことから、本発明の内視鏡用洗浄消毒装置は、内視鏡の洗浄、消毒を効果的に行うことができるものであることがわかる。
【００９５】
これに対し、比較例１、２の内視鏡用洗浄消毒装置で処理した電子内視鏡では、生菌数が多かった。
【００９６】
また、上記の各実施例の内視鏡用洗浄消毒装置を用いて、電子内視鏡に対して５００回繰り返し洗浄消毒処理を施したが、当該洗浄消毒処理が施された電子内視鏡の外観、特性の劣化は認められなかった。
【００９７】
また、上記のように洗浄消毒処理を５００回繰り返し行った各実施例の内視鏡用洗浄消毒装置を用いて、上記と同様にして菌液を接種した電子内視鏡の洗浄消毒処理を改めて行ったところ、前記と同様な効果が得られた。すなわち、本発明の内視鏡用洗浄消毒装置は、多数回繰り返し使用した後であっても、内視鏡を効率良く洗浄消毒することができる（細菌等の汚れを効率良く除去することができる）ことが認められた。これは、抗菌部を構成するアンチモンポルフィリン錯体が優れた安定性を有するためであると考えられる。
【図面の簡単な説明】
【００９８】
【図１】本発明の内視鏡用洗浄消毒装置で洗浄対象物（消毒対象物）として用いられる内視鏡の一例としての電子内視鏡（電子スコープ）を示す全体図である。
【図２】本発明の内視鏡用洗浄消毒装置の実施形態を示す外観斜視図である。
【図３】図２に示す内視鏡用洗浄消毒装置が備える洗浄消毒槽の縦断面を示す拡大図である。
【図４】図２に示す内視鏡用洗浄消毒装置の部分縦断面図である。
【符号の説明】
【００９９】
１０          内視鏡（医療用器具）
１            挿入部可撓管
１１          可撓管
１２          湾曲部
５            内視鏡用鉗子栓
６            操作部
６１、６２    操作ノブ
６３          突出部
７            接続部可撓管
８            光源差込部
８１          光源用コネクタ
８２          画像信号用コネクタ
９            処置具挿通チャンネル
９１          基端開口部
９２          先端開口部
２０          内視鏡用洗浄消毒装置（医療用器具洗浄消毒装置）
２１          洗浄消毒槽（貯留部）
２１１        基部
２１２        抗菌部
２１３        操作部保持部
２１４        コネクタ保持部（光源差込部保持部）
２２          蓋体
２３          操作ボタン
２４          ディスプレイ
２５          防水キャップ
２６          可撓管
２８          洗浄水貯留タンク（貯留部）
２９          光源（蛍光灯）
【図１】
2005261502.tif 000006
【図２】
2005261502.tif 000007
【図３】
2005261502.tif 000008
【図４】
2005261502.tif 000009